(57)【要約】      （修正有）【課題】シーツサイズから枕サイズのような比較的小寸法のサイズにわたるいずれの場合においても、保冷媒体の流動性による偏在を抑え、身体に対する十分な冷却効果を発揮し得るような保冷パッドを提供する。【解決手段】保冷パッド１は、布製の表地３と、高周波加熱により溶着可能な裏地４とを有し、シーツ用サイズ、枕用サイズ又はこれらの中間寸法のハーフサイズ、更にカーシートサイズや座布団サイズ、ワイン保冷用シートサイズなどのうちから選定される矩形シート状の２枚の被覆材２同士を裏地４同士を重ね合わせて偏平な形態とした外装体１４と、前記裏地４同士の高周波加熱による四辺外周圧着部及び内部領域の部分圧着部により外装体１４内において流動が規制される状態で収納したジェルを含む保冷媒体５と、を有する構成としたものである。【選択図】図３
0003138923.tif 000002
【実用新案登録請求の範囲】
【請求項１】
布製の表地と、高周波加熱により溶着可能な裏地とを有する矩形シート状の２枚の被覆材同士を前記裏地同士を重ね合わせて偏平な形態とした外装体と、
前記２枚の被覆材における裏地同士の高周波加熱による外周圧着部及び内部領域の部分圧着部により前記外装体内において流動が規制される状態で収納したジェルを含む保冷媒体と、
を有することを特徴とする保冷パッド。
【請求項２】
布製の表地と、高周波加熱により溶着可能な裏地とを有し、シーツ用サイズ、枕用サイズ又はこれらの中間寸法のハーフサイズ、更にカーシートサイズや座布団サイズ、ワイン保冷用シートサイズなどのうちから選定される矩形シート状の２枚の被覆材同士を前記裏地同士を重ね合わせて偏平な形態とした外装体と、
前記２枚の被覆材における裏地同士の高周波加熱による四辺外周圧着部及び内部領域の部分圧着部により前記外装体内において流動が規制される状態で収納したジェルを含む保冷媒体と、
を有することを特徴とする保冷パッド。
【請求項３】
布製の表地と、高周波加熱により溶着可能な裏地とを有し、シーツ用サイズ、枕用サイズ又はこれらの中間寸法のハーフサイズ、更にカーシートサイズや座布団サイズ、ワイン保冷用シートサイズなどのうちから選定される矩形シート状の２枚の被覆材同士を前記裏地同士を重ね合わせて偏平な形態とした外装体と、
前記２枚の被覆材における裏地同士の高周波加熱による四辺外周圧着部及び内部領域の円環状の複数箇所の部分圧着部により前記外装体内において流動が規制される状態で収納したジェルを含む保冷媒体と、
を有することを特徴とする保冷パッド。
【請求項４】
布製の表地と、高周波加熱により溶着可能な裏地とを有し、シーツ用サイズ、枕用サイズ又はこれらの中間寸法のハーフサイズ、更にカーシートサイズや座布団サイズ、ワイン保冷用シートサイズなどのうちから選定される矩形シート状の２枚の被覆材同士を前記裏地同士を重ね合わせて偏平な形態とした外装体と、
前記２枚の被覆材における裏地同士の高周波加熱による四辺外周圧着部、対向する辺の中央部同士を結ぶ十字状の部分圧着部及び十字状の部分圧着部により区画される４区域内における複数個ずつの長方形状の部分圧着部により前記外装体内において流動が規制される状態で収納したジェルを含む保冷媒体と、
を有することを特徴とする保冷パッド。
【請求項５】
布製の表地と、高周波加熱により溶着可能な裏地とを有し、シーツ用サイズ、枕用サイズ又はこれらの中間寸法のハーフサイズ、更にカーシートサイズや座布団サイズ、ワイン保冷用シートサイズなどのうちから選定される矩形シート状の２枚の被覆材同士を前記裏地同士を重ね合わせて偏平な形態とした外装体と、
前記２枚の被覆材における裏地同士の高周波加熱による四辺外周圧着部及び内部領域における複数個の波形状の部分圧着部により前記外装体内において流動が規制される状態で収納したジェルを含む保冷媒体と、
を有することを特徴とする保冷パッド。
【請求項６】
布製の表地と、高周波加熱により溶着可能な裏地とを有し、シーツ用サイズ、枕用サイズ又はこれらの中間寸法のハーフサイズ、更にカーシートサイズや座布団サイズ、ワイン保冷用シートサイズなどのうちから選定される矩形シート状の２枚の被覆材同士を前記裏地同士を重ね合わせて偏平な形態とした外装体と、
前記２枚の被覆材における裏地同士の高周波加熱による四辺外周圧着部及び内部領域における複数個の長方形状の部分圧着部により前記外装体内において流動が規制される状態で収納したジェルを含む保冷媒体と、
を有することを特徴とする保冷パッド。
【請求項７】
布製の表地と、高周波加熱により溶着可能な裏地とを有し、シーツ用サイズ枕用サイズ又はこれらの中間寸法のハーフサイズ、更にカーシートサイズや座布団サイズ、ワイン保冷用シートサイズなどのうちから選定される矩形シート状の２枚の被覆材同士を前記裏地同士を重ね合わせて偏平な形態とした外装体と、
前記２枚の被覆材における裏地同士の高周波加熱による四辺外周圧着部及び内部領域における傾斜平行配置で略長方形状を呈する複数個の部分圧着部により前記外装体内において流動が規制される状態で収納したジェルを含む保冷媒体と、
を有することを特徴とする保冷パッド。
【請求項８】
布製の表地と、高周波加熱により溶着可能な裏地とを有し、シーツ用サイズ、枕用サイズ又はこれらの中間寸法のハーフサイズの、更にカーシートサイズや座布団サイズ、ワイン保冷用シートサイズなどうちから選定される矩形シート状の２枚の被覆材同士を前記裏地同士を重ね合わせて偏平な形態とした外装体と、
前記２枚の被覆材における裏地同士の高周波加熱による四辺外周圧着部及び内部領域におけるクロス配置で各々が略長方形状を呈する複数個の部分圧着部により前記外装体内において流動が規制される状態で収納したジェルを含む保冷媒体と、
を有することを特徴とする保冷パッド。
【考案の詳細な説明】
【技術分野】
【０００１】
本考案は、保冷パッドに関し、詳しくは、ジェルを含む保冷媒体の冷却効果を利用し人体各部の冷却用として使用する保冷パッドに関するものである。
【背景技術】
【０００２】
従来からジェルを含む保冷媒体を枕サイズ、シーツサイズの外装体内に収納して保冷パッドを構成し、高温期の就寝時等においてこの保冷パッドを枕に被せて頭部を冷却したり、ベッド上に載置して身体の背中等を冷却したりすることが行われている。
【０００３】
このような冷却パッドの場合、内部に収納したジェルを含む保冷媒体の流動性が大きいことから、単に保冷媒体を外装体内に収納しただけでは身体の重さにより保冷媒体が外装体内で偏在してしまい、身体に対する冷却効果を十分に期待できなくなる。
【０００４】
特許文献１には、枕サイズとした冷熱ゲルシートと、この冷熱ゲルシートを挿脱させる収納部を内部に備えた枕カバーとにより構成した冷熱ゲル枕が開示されている。
【０００５】
しかし、特許文献１の場合、人体頭部の冷却効果を発揮させることを主眼としており、比較的小寸法なもので、含水ゲルの流動性の点を考慮するとこのような冷熱ゲル枕の構成をそのまま長尺なシーツサイズ等に応用したとしても十分な冷却効果を期待し得ないものと推定される。
【特許文献１】特開２００２−２３４４２号公報
【考案の開示】
【考案が解決しようとする課題】
【０００６】
本考案が解決しようとするとする問題点は、シーツサイズのような長尺なものから枕サイズのような比較的小寸法のサイズにわたるいずれの場合においても、保冷媒体の流動性による偏在を抑え、身体に対する十分な冷却効果を発揮し得るような保冷パッドが存在しない点である。
【課題を解決するための手段】
【０００７】
本考案の保冷パッドは、布製の表地と、高周波加熱により溶着可能な裏地とを有する矩形シート状の２枚の被覆材同士を前記裏地同士を重ね合わせて偏平な形態とした外装体と、前記２枚の被覆材における裏地同士の高周波加熱による外周圧着部及び内部領域の部分圧着部により前記外装体内において流動が規制される状態で収納したジェルを含む保冷媒体と、を有することを最も主要な特徴とする。
【考案の効果】
【０００８】
請求項１記載の考案によれば、２枚の被覆材における裏地同士の高周波加熱による外周圧着部及び内部領域の部分圧着部により前記外装体内に収納したジェルを含む保冷媒体の流動が規制されて偏在が無くなり、就寝時等において身体に対する十分な冷却効果を発揮し得る保冷パッドを提供することができる。
【０００９】
請求項２記載の考案によれば、シーツ用サイズ、枕用サイズ又はこれらの中間寸法のハーフサイズ、更にカーシートサイズや座布団サイズ、ワイン保冷用シートサイズなどのうちから選定される構成の基に、請求項１記載の考案と同様にして就寝時等において身体の全体又は頭部或いは身体の一部に対する十分な冷却効果を発揮し得る保冷パッドを提供することができる。
【００１０】
請求項３記載の考案によれば、２枚の被覆材における裏地同士の高周波加熱による四辺外周圧着部及び内部領域の円環状の複数箇所の部分圧着部を有する構成で、請求項２記載の考案と同様な冷却効果を奏する保冷パッドを提供することができる。
【００１１】
請求項４記載の考案によれば、２枚の被覆材における裏地同士の高周波加熱による四辺外周圧着部、内部領域の対向する辺の中央部同士を結ぶ十字状の部分圧着部及び十字状の部分圧着部により区画される４区域内における複数個ずつの長方形状の部分圧着部を有する構成で、請求項２記載の考案と同様な冷却効果を奏する保冷パッドを提供することができる。
【００１２】
請求項５記載の考案によれば、２枚の被覆材における裏地同士の高周波加熱による四辺外周圧着部、内部領域における複数個の波形状の部分圧着部を有する構成で、請求項２記載の考案と同様な冷却効果を奏する保冷パッドを提供することができる。
【００１３】
請求項６記載の考案によれば、２枚の被覆材における裏地同士の高周波加熱による四辺外周圧着部、内部領域における複数個の長方形状の部分圧着部を有する構成で、請求項２記載の考案と同様な冷却効果を奏する保冷パッドを提供することができる。
【００１４】
請求項７記載の考案によれば、２枚の被覆材における裏地同士の高周波加熱による四辺外周圧着部、内部領域における傾斜平行配置で略長方形状を呈する複数個の部分圧着部を有する構成で、請求項２記載の考案と同様な冷却効果を奏する保冷パッドを提供することができる。
【００１５】
請求項８記載の考案によれば、２枚の被覆材における裏地同士の高周波加熱による四辺外周圧着部、内部領域におけるクロス配置で各々が略長方形状を呈する複数個の部分圧着部を有する構成で、請求項２記載の考案と同様な冷却効果を奏する保冷パッドを提供することができる。
【考案を実施するための最良の形態】
【００１６】
本考案は、シーツサイズのような長尺なものから枕サイズのような比較的小寸法のサイズにわたるいずれの場合においても、保冷媒体の流動性による偏在を抑えて、身体に対する十分な冷却効果を発揮し得るような保冷パッドを提供するという目的を有するものである。
【００１７】
本考案の保冷パッドは、布製の表地と、高周波加熱により溶着可能な裏地とを有し、シーツ用サイズ、枕用サイズ又はこれらの中間寸法のハーフサイズ、更にカーシートサイズや座布団サイズ、ワイン保冷用シートサイズなどのうちから選定される矩形シート状の２枚の被覆材同士を前記裏地同士を重ね合わせて偏平な形態とした外装体と、前記２枚の被覆材における裏地同士の高周波加熱による四辺外周圧着部及び内部領域の部分圧着部により前記外装体内において流動が規制される状態で収納したジェルを含む保冷媒体と、を有する構成により上記目的を実現した。
【実施例】
【００１８】
以下に、本考案の実施例に係る保冷パッドについて図面を参照して詳細に説明する。
【００１９】
（実施例１）
図１乃至図１１を参照して本実施例１に係る保冷パッド１について説明する。
【００２０】
本実施例１に係る保冷パッド１は、図１乃至図３に示すように、例えば綿材からなる布製の表地３と、高周波加熱により溶着可能な例えばポリエチレン製の裏地４とからなり、これらを重合して矩形シート状で例えばシーツ用サイズ（例えば幅９０ｃｍ、長さ１８０ｃｍ）、枕用サイズ又はこれらの中間寸法のハーフサイズ、更にカーシートサイズや座布団サイズ、ワイン保冷用シートサイズなどのうちから選定される矩形シート状の２枚の被覆材同士を前記裏地同士を重ね合わせて偏平な形態とした外装体ととした被覆材２を表裏配置に２枚組み合わせ、前記裏地４同士を対向する状態で重ね合わせて、これらの内部にジェルを含む保冷媒体５を裏地４同士の高周波加熱による所定の圧着パターンの基にその流動が規制される状態で密封収納する外装体１４を具備している。前記両表地３の外面側には、防かび加工を施している。
【００２１】
前記ジェルを含む保冷媒体５の組成としては、例えば、ジェル、給水ポリマー、パラベン、防カビ剤、グリセリン、水からなる組成を挙げることができる。
【００２２】
図４は、前記裏地４同士の圧着パターンの一例を示すもので、この例では前記裏地４同士の四辺外周圧着部６と、その内部領域における円環状の部分圧着部７とからなり、前記円環状の部分圧着部７を例えば１０箇所縦横配列で点在配置としたものである。
【００２３】
次に、図５を参照して本実施例１に係る保冷パッド１の使用態様等について説明する。
【００２４】
本実施例１に係る保冷パッド１は、例えば図５に示すように、就寝等に使用するベッド（又は敷布団)１５におけるシーツ１６の上面に載せ、就寝者Ｍが前記保冷パッド１上に横臥して就寝するような態様で使用するものである。
【００２５】
このとき、四辺外周圧着部６の内部領域における円環状の部分圧着部７を設けていることにより、就寝者Ｍの重さが保冷パッド１に作用しても、この保冷パッド１内部におけるジェルを含む保冷媒体５の流動性がほど良く抑えられる。
【００２６】
そして、図６に示すように、保冷パッド１が心地よく体にフィットするとともに、室温と就寝者Ｍの体温との温度差により保冷媒体５が就寝者Ｍの背中、腰部、足部等の体温を奪い冷却効果を高める。また、就寝者Ｍの身体が直接載っていない保冷パッド１の領域内部における保冷媒体５から熱が室内空気中に放散される。
【００２７】
このようにして本実施例１に係る保冷パッド１によれば、就寝者Ｍの使用感覚が良好であり、かつ、高温期における就寝開始時から目覚め時に至るまで就寝者Ｍの体温を程よく冷却して快適な睡眠を実現させるという優れた効果を発揮する。
【００２８】
本実施例１に係る保冷パッド１を使用した場合と使用しない場合とにおける就寝者Ｍの就寝時における６０分間の模式的な背中皮膚温度比較結果を、環境温度３０℃の基で温度測定を行った。
【００２９】
その結果、保冷パッド１を使用した場合、就寝者Ｍの背中の皮膚温度は、わずかに首すじ領域が高めであるのみで他の部分は低めに抑えられているのに対して、保冷パッド１を使用しない場合、就寝者Ｍの背中の皮膚温度は、背中の略全領域が高くなっていることが判明した。
【００３０】
また、本実施例１に係る保冷パッド１を使用した場合と使用しない場合とにおける就寝者Ｍの就寝開始から２４０分間の背中皮膚温度比較グラフを、環境温度３０℃の基で温度測定を行った。
【００３１】
その結果、保冷パッド１を使用した場合には就寝者Ｍの背中の皮膚温度は、使用しない場合に比べ、就寝開始から２４０分間経過するまでずっと２乃至３度低いことが明らかでである。
【００３２】
以上のような温度測定結果から明らかなように、本実施例１に係る保冷パッド１は、就寝者Ｍの睡眠中において優れた冷却効果を発揮することが判明した。
【００３３】
次に、図７乃至図１１を参照して、本実施例１に係る保冷パッド１における裏地４同士の圧着パターンの第２乃至第６の例について説明する。
【００３４】
図７は、本実施例１に係る保冷パッド１における裏地４同士の圧着パターンの第２の例を示すものであり、前記四辺外周圧着部６に加えて、対向する辺の中央部同士を結ぶ十字状の部分圧着部８と、この十字状の部分圧着部８により区画される４区域内における複数個ずつの点在する長方形状の部分圧着部９とを形成したものである。
【００３５】
図８は、本実施例１に係る保冷パッド１における裏地４同士の圧着パターンの第３の例を示すものであり、前記四辺外周圧着部６に加えて、その内部領域において複数個の点在する波形状の部分圧着部１０を形成したものである。
【００３６】
図９は、本実施例１に係る保冷パッド１における裏地４同士の圧着パターンの第４の例を示すものであり、前記四辺外周圧着部６に加えて、その内部領域において複数個の点在する長方形状の部分圧着部１１を形成したものである。
【００３７】
図１０は、本実施例１に係る保冷パッド１における裏地４同士の圧着パターンの第５の例を示すものであり、前記四辺外周圧着部６に加えて、その内部領域において傾斜平行配置で略長方形状を呈する複数個の部分圧着部１２を形成したものである。
【００３８】
図１１は、本実施例１に係る保冷パッド１における裏地４同士の圧着パターンの第６の例を示すものであり、前記四辺外周圧着部６に加えて、その内部領域においてクロス配置で各々が略長方形状を呈し、点在する複数個の部分圧着部１３を形成したものである。
【００３９】
図７乃至図１１に示すいずれの場合も、各部分圧着部９乃至１３の形成個数は、各々図示例に限定されるものでないことはもちろんである。
【００４０】
図７乃至図１１に示す各圧着パターンを採用した保冷パッド１の場合も、各々前記図４に示す圧着パターンを採用した既述した保冷パッド１の場合と同様な作用効果を発揮させることができる。
【００４１】
（実施例２）
図１２、図１３を参照して本実施例２に係る保冷パッド１Ａについて説明する。
【００４２】
本実施例２に係る保冷パッド１Ａは、既述した保冷パッド１の場合と略同様な構成であるが、図１２に示すように、全体サイズを例えば幅３０ｃｍ、長さ４０ｃｍとした枕用として構成したことが特徴である。
【００４３】
この保冷パッド１Ａの場合も、図４、図７乃至図１１に示す裏地４同士の各圧着パターンを採用し得ることはもちろんである。
【００４４】
図１３は、本実施例２に係る保冷パッド１Ａの使用態様を示すものであり、この保冷パッド１Ａによれば、前記保冷パッド１Ａが心地よく就寝者Ｍの頭部にフィットするとともに、室温と就寝者Ｍの体温との温度差により保冷媒体５が就寝者Ｍの頭部の体温を奪い冷却効果を高め、頭寒足熱の状態を現出する。
【００４５】
（実施例３）
図１４、図１５を参照して本実施例３に係る保冷パッド１Ｂについて説明する。
【００４６】
本実施例３に係る保冷パッド１Ｂは、既述した保冷パッド１の場合と略同様な構成であるが、図１４に示すように、全体サイズを例えば幅９０ｃｍ、長さ９０ｃｍとし、前記保冷パッド１と前記保冷パッド１Ａとの中間のハーフサイズとしたことが特徴である。
【００４７】
この保冷パッド１Ａの場合も、図４、図７乃至図１１に示す裏地４同士の各圧着パターンを採用し得ることはもちろんである。
【００４８】
図１５は本実施例３に係る保冷パッド１Ｂの使用態様を示すものであり、保冷パッド１Ｂが就寝者Ｍの例えば背中等の体温を奪い冷却効果を高め、前記保冷パッド１の場合と略同様の作用効果を発揮させることができる。
【産業上の利用可能性】
【００４９】
本考案は、上述したように主に就寝時に用いる他、夏場等における疲労回復用、スポーツ後の休息用等として広範な用途に適用可能である。
【図面の簡単な説明】
【００５０】
【図１】本考案の実施例１に係る保冷パッドの平面図である。
【図２】本実施例１に係る保冷パッドの側面図である。
【図３】本実施例１に係る保冷パッドの拡大断面図である。
【図４】本実施例１に係る保冷パッドにおける裏地同士の圧着パターンの一例を示す図である。
【図５】本実施例１に係る保冷パッドの使用態様を示す概略斜視図である。
【図６】本実施例１に係る保冷パッドの冷却作用の説明図である。
【図７】本実施例１に係る保冷パッドにおける裏地同士の圧着パターンの第２の例を示す図である。
【図８】本実施例１に係る保冷パッドにおける裏地同士の圧着パターンの第３の例を示す図である。
【図９】本実施例１に係る保冷パッドにおける裏地同士の圧着パターンの第４の例を示す図である。
【図１０】本実施例１に係る保冷パッドにおける裏地同士の圧着パターンの第５の例を示す図である。
【図１１】本実施例１に係る保冷パッドにおける裏地同士の圧着パターンの第６の例を示す図である。
【図１２】本考案の実施例２に係る保冷パッドの平面図である。
【図１３】本実施例２に係る保冷パッドの使用態様を示す概略斜視図である。
【図１４】本考案の実施例３に係る保冷パッドの平面図である。
【図１５】本実施例３に係る保冷パッドの使用態様を示す概略斜視図である。
【符号の説明】
【００５１】
１    保冷パッド
１Ａ  保冷パッド
１Ｂ  保冷パッド
２    被覆材
３    表地
４    裏地
５    保冷媒体
６    四辺外周圧着部
７    部分圧着部
８    部分圧着部
９    部分圧着部
１０    部分圧着部
１１    部分圧着部
１２    部分圧着部
１３    部分圧着部
１４    外装体
１５    ベッド
１６    シーツ
Ｍ    就寝者
【図１】
0003138923.tif 000003
【図２】
0003138923.tif 000004
【図３】
0003138923.tif 000005
【図４】
0003138923.tif 000006
【図５】
0003138923.tif 000007
【図６】
0003138923.tif 000008
【図７】
0003138923.tif 000009
【図８】
0003138923.tif 000010
【図９】
0003138923.tif 000011
【図１０】
0003138923.tif 000012
【図１１】
0003138923.tif 000013
【図１２】
0003138923.tif 000014
【図１３】
0003138923.tif 000015
【図１４】
0003138923.tif 000016
【図１５】
0003138923.tif 000017